【手続補正書】
【提出日】平成26年8月11日(2014.8.11)
【手続補正１】
【補正対象書類名】特許請求の範囲
【補正対象項目名】請求項１
【補正方法】変更
【補正の内容】
【請求項１】
商用電源にスイッチ回路を介して接続される電気機器と、該電気機器に２本の通信線を介して信号接続される操作装置とを有し、前記電気機器には前記スイッチ回路を介して前記商用電源に接続される電源回路と、前記通信線を介して前記操作装置と信号の送受信を行う通信回路と、前記操作装置側から前記スイッチ回路側に加えられる信号に応じて該スイッチ回路を作動させ前記商用電源と前記電源回路との接続と遮断とを行うラッチリレー回路と、前記電源回路の前記商用電源との接続が遮断されているかどうかを検出する電源遮断検出回路とを有し、前記操作装置には前記通信線を介して前記電気機器と信号の送受信を行う通信回路と、前記電気機器の前記商用電源との接続と遮断とを前記ラッチリレー回路に操作信号を加えて操作する電源スイッチと、前記商用電源と前記電源回路とが接続されているときに該電源回路と前記通信線とを介して前記商用電源の電力を充電する機能を備えた蓄電タイプの電源と、該蓄電タイプの電源の電圧を検出する電圧検出回路とが設けられており、前記操作装置の前記電源スイッチにより前記電気機器の電源オフ操作が行われたときには該電源オフ操作信号を前記通信線を介して前記操作装置から前記電気機器の前記ラッチリレー回路に加え、該ラッチリレー回路によって前記電源回路の前記商用電源との接続を遮断することにより該電気機器の待機電力をゼロとし、該電気機器の前記商用電源との接続遮断中に前記操作装置の前記電源スイッチによって前記電気機器の電源オン操作が行われたときと前記電圧検出手段により検出される前記蓄電タイプの電源の電圧が予め定められた設定値以下に低下したときには、前記蓄電タイプの電源からの電力を前記通信線を介して前記操作装置から前記電気機器に供給して該電気機器の前記電源回路と前記商用電源との接続を前記操作装置側の蓄電タイプの電力によって復帰させる電源復帰回路が設けられていて、前記電気機器は前記操作装置側から供給される蓄電タイプの電力よって前記ラッチリレーを作動させて前記電気機器の電源回路と前記商用電源との接続を復帰させる回路構成を有しており、前記電気機器と前記操作装置のうち回路内部の電源は前記操作装置のみに前記蓄電タイプの電源として設けられ、前記電気機器は回路内部に電源をもたない回路構成と成していることを特徴とする操作システム。
【手続補正２】
【補正対象書類名】明細書
【補正対象項目名】０００６
【補正方法】変更
【補正の内容】
【０００６】
本発明は上記目的を達成するために、次の構成をもって課題を解決する手段としている。すなわち、第１の発明は、商用電源にスイッチ回路を介して接続される電気機器と、該電気機器に２本の通信線を介して信号接続される操作装置とを有し、前記電気機器には前記スイッチ回路を介して前記商用電源に接続される電源回路と、前記通信線を介して前記操作装置と信号の送受信を行う通信回路と、前記操作装置側から前記スイッチ回路側に加えられる信号に応じて該スイッチ回路を作動させ前記商用電源と前記電源回路との接続と遮断とを行うラッチリレー回路と、前記電源回路の前記商用電源との接続が遮断されているかどうかを検出する電源遮断検出回路とを有し、前記操作装置には前記通信線を介して前記電気機器と信号の送受信を行う通信回路と、前記電気機器の前記商用電源との接続と遮断とを前記ラッチリレー回路に操作信号を加えて操作する電源スイッチと、前記商用電源と前記電源回路とが接続されているときに該電源回路と前記通信線とを介して前記商用電源の電力を充電する機能を備えた蓄電タイプの電源と、該蓄電タイプの電源の電圧を検出する電圧検出回路とが設けられており、前記操作装置の前記電源スイッチにより前記電気機器の電源オフ操作が行われたときには該電源オフ操作信号を前記通信線を介して前記操作装置から前記電気機器の前記ラッチリレー回路に加え、該ラッチリレー回路によって前記電源回路の前記商用電源との接続を遮断することにより該電気機器の待機電力をゼロとし、該電気機器の前記商用電源との接続遮断中に前記操作装置の前記電源スイッチによって前記電気機器の電源オン操作が行われたときと前記電圧検出手段により検出される前記蓄電タイプの電源の電圧が予め定められた設定値以下に低下したときには、前記蓄電タイプの電源からの電力を前記通信線を介して前記操作装置から前記電気機器に供給して該電気機器の前記電源回路と前記商用電源との接続を前記操作装置側の蓄電タイプの電力によって復帰させる電源復帰回路が設けられていて、前記電気機器は前記操作装置側から供給される蓄電タイプの電力よって前記ラッチリレーを作動させて前記電気機器の電源回路と前記商用電源との接続を復帰させる回路構成を有しており、前記電気機器と前記操作装置のうち回路内部の電源は前記操作装置のみに前記蓄電タイプの電源として設けられ、前記電気機器は回路内部に電源をもたない回路構成と成していることをもって課題を解決する手段としている。
【手続補正３】
【補正対象書類名】明細書
【補正対象項目名】００３６
【補正方法】変更
【補正の内容】
【００３６】
なお、本実施例において、前記電源復帰回路は、前記のような機能に加え、熱源機２７の商用電源３との接続遮断中に、予め定められた設定時刻にリモコン装置１のバッテリー電源１４からの電力を熱源機２７に供給して熱源機２７の商用電源３との接続を復帰させる機能を有する。つまり、マイコン１２には時計機構が設けられており、この時計機構によって検出される時刻が設定時刻（例えば１２時）になったら、前記と同様にして電源復帰回路はバッテリー電源１４から熱源機２７への電力供給を行い、熱源機２７の商用電源３との接続を復帰する。
【手続補正４】
【補正対象書類名】明細書
【補正対象項目名】００４０
【補正方法】変更
【補正の内容】
【００４０】
本実施例は、以上のように構成されており、例えば前記特許文献１に提案されている待機電力遮断装置が、商用電源に接続された電気機器と該機器に無線接続されるリモコン装置との両方にバッテリー電源を内蔵させて、いずれのバッテリー電源も充電しておき、電源スイッチオフの状態で商用電源と電源回路との接続を遮断し、リモコン装置からの起動操作信号に応じて電気機器が電気機器のバッテリー電源の電力を用いて作動するのに対し、本実施例は、２本の通信線２を介して熱源機２７とリモコン装置１とが接続されていることを利用し、リモコン装置１側にのみバッテリー電源１４を設けた簡単な構成で、このバッテリー電源１４の電力を熱源器２７側の電源復帰に利用する前記のような特徴的な構成を有することができる。
【手続補正５】
【補正対象書類名】明細書
【補正対象項目名】００５１
【補正方法】変更
【補正の内容】
【００５１】
また、図４（ａ）に示されるように、熱源機２７の商用電源３との接続遮断中に、予め定められた設定時刻（例えば１２時）になったら、リモコン装置１のバッテリー電源１４からの電力を熱源機２７に供給し、熱源機２７の通信回路８を作動可能として、図４の矢印Ｎ７に示すように、熱源機２７からリモコン通信復帰の確認信号をリモコン装置１に送信する。そして、リモコン装置１は、この確認信号を受けたら、矢印Ｒ５に示すように、電源ＯＮビット＝１の信号（電源回路５のオン要求ビット）を送信し、ラッチリレー回路９を作動させてスイッチ回路４をオンとし、熱源機２７の電源回路５と商用電源３との接続を復帰させる。熱源機２７は、矢印Ｎ８に示すように、この接続復帰の確認信号をリモコン装置１に送信し、リモコン装置１は、この確認信号を受けて、熱源機２７への電力供給を停止する（なお、この場合、表示部１８のＬＥＤ点灯は停止のまま（消灯のまま）でよい）。
【手続補正６】
【補正対象書類名】明細書
【補正対象項目名】００５３
【補正方法】変更
【補正の内容】
【００５３】
また、図４（ｂ）に示されるように、熱源機２７の商用電源３との接続遮断中に、基準時から予め定められた設定期間経過毎に、リモコン装置１のバッテリー電源１４からの電力を熱源機２７に供給し、熱源機２７の通信回路８を作動可能として、図４の矢印Ｎ１１に示すように、熱源機２７からリモコン通信復帰の確認信号をリモコン装置１に送信する。そして、リモコン装置１は、この確認信号を受けたら、矢印Ｒ１１に示すように、電源ＯＮビット＝１の信号（電源回路５のオン要求ビット）を送信し、ラッチリレー回路９を作動させてスイッチ回路４をオンとし、熱源機２７の電源回路５と商用電源３との接続を復帰させる。熱源機２７は、矢印Ｎ１２に示すように、この接続復帰の確認信号をリモコン装置１に送信し、リモコン装置１は、この確認信号を受けて、熱源機２７への電力供給を停止する（なお、この場合も、表示部１８のＬＥＤ点灯は停止のまま（消灯のまま）でよい）。